【手続補正書】
【提出日】平成17年7月7日(2005.7.7)
【手続補正１】
【補正対象書類名】明細書
【補正対象項目名】特許請求の範囲
【補正方法】変更
【補正の内容】
【特許請求の範囲】
【請求項１】
名刺要求元に関する所定の管理情報を記憶したデータベースと、
名刺要求元を特定する情報に基づいて前記データベースを検索し、抽出された情報を使用して、標準形式の名刺印刷イメージを生成する手段と、
予め用意された選択データを要求元に選択させて、前記名刺印刷イメージを編集する手段と、
編集後の印刷イメージから印刷データを生成して、要求元へ送信する手段とを備えたことを特徴とする名刺管理システム。
【請求項２】
請求項１に記載の名刺管理システムにおいて、
前記選択データは、所定の条件の下に前記所定の管理情報を記憶したデータベースから抽出したデータから成ることを特徴とする名刺管理システム。
【請求項３】
請求項１に記載の名刺管理システムにおいて、
前記選択データは、人事管理情報を記憶した人事データベースから抽出したデータから成ることを特徴とする名刺管理システム。
【請求項４】
請求項１に記載の名刺管理システムにおいて、
前記選択データは、要求元の指示により、データベースから抽出した画像データから成ることを特徴とする名刺管理システム。
【請求項５】
請求項１に記載の名刺管理システムにおいて、
前記選択データは、要求元の業務の種類に応じて、商品広告データベースからから抽出した商品広告から成ることを特徴とする名刺管理システム。
【請求項６】
請求項１に記載の名刺管理システムにおいて、
前記選択データは、外国語翻訳文データベースから抽出した、名刺作成に必要な情報の外国語翻訳文から成ることを特徴とする名刺管理システム。
【請求項７】
請求項１に記載の名刺管理システムにおいて、
編集された前記印刷イメージを承認処理の対象とする手段を備えたことを特徴とする名刺管理システム。
【請求項８】
請求項１に記載の名刺管理システムにおいて、
前記印刷データを使用して名刺を印刷するプリンタで、標準的な印刷出力が得られるように、前記印刷データを前記プリンタ用に補正するための、印刷補正データを備えたことを特徴とする名刺管理システム。
【請求項９】
請求項８に記載の名刺管理システムにおいて、
要求元において名刺が印刷されるプリンタを認識する手段と、
該当するプリンタのための印刷補正データを選択する手段と、
前記印刷補正データにより、印刷データを補正してから、印刷要求元へ送信する手段を備えたことを特徴とする名刺管理システム。
【請求項１０】
請求項８に記載の名刺管理システムにおいて、
要求元において名刺が印刷されるプリンタを認識する手段と、
該当するプリンタのための印刷補正データを選択する手段と、
前記印刷データと共に、前記印刷補正データを、印刷要求元へ送信する手段を備えたことを特徴とする名刺管理システム。
【請求項１１】
請求項１に記載の名刺管理システムにおいて、
名刺を印刷するプリンタのための固有の印刷補正データを備えた要求元に対して、
前記印刷データを送信する手段を備えたことを特徴とする名刺管理システム。
【請求項１２】
受信した名刺印刷イメージを表示する手段と、
前記名刺印刷イメージ中の情報を編集するために、編集用の選択データを選択させる手段と、
名刺を印刷するプリンタを印刷データ生成側へ通知する手段と、
完成した名刺イメージの印刷データとこの印刷データを前記プリンタ用に補正する印刷補正データを受信する手段と、
前記印刷データと前記印刷補正データを用いて名刺を印刷する制御を実行する手段を備えたことを特徴とする端末装置。
【請求項１３】
受信した名刺印刷イメージを表示する手段と、
前記名刺印刷イメージ中の情報を編集するために、編集用の選択データを選択させる手段と、
完成した名刺イメージの印刷データを受信する手段と、
前記印刷データとこの印刷データを前記プリンタ用に補正する印刷補正データを用いて名刺を印刷する制御を実行する手段を備えたことを特徴とする端末装置。
【請求項１４】
所定の管理情報を記憶したデータベースを名刺要求元を特定する情報に基づいて検索し、抽出された情報を使用して、標準形式の名刺印刷イメージを生成する処理と、
予め用意された選択データを要求元に選択させて、前記名刺印刷イメージを編集する処理と、
編集後の印刷イメージから印刷データを生成して、要求元へ送信する処理とを、コンピュータに実行させる名刺管理用コンピュータプログラム。
【請求項１５】
請求項１４に記載の名刺管理用コンピュータプログラムにおいて、
前記印刷データを使用して名刺を印刷するプリンタで、標準的な印刷出力が得られるように、前記印刷データを前記プリンタ用に補正するための、印刷補正データを用意して、
要求元において名刺が印刷されるプリンタを認識する処理と、
該当するプリンタのための印刷補正データを選択する処理と、
前記印刷データと共に、前記印刷補正データを、印刷要求元へ送信する処理とを、コンピュータに実行させる名刺管理用コンピュータプログラム。
【請求項１６】
所定の管理情報を記憶したデータベースから名刺作成要求元を特定する情報に基づいて抽出した情報を使用して、標準形式の名刺印刷イメージを生成し、
予め用意した選択データを要求元に選択させて、前記名刺印刷イメージを編集し、
編集後の印刷イメージから印刷データを生成して、要求元へ送信することを特徴とする名刺管理方法。
【請求項１７】
請求項１６に記載の名刺管理方法において、
前記印刷データを使用して名刺を印刷するプリンタで、標準的な印刷出力が得られるように、前記印刷データを前記プリンタ用に補正するための、印刷補正データを用意して、
要求元において名刺が印刷されるプリンタを認識し、
該当するプリンタのための印刷補正データを選択して、
前記印刷データと共に、前記印刷補正データを、印刷要求元へ送信することを特徴とする名刺管理方法。
【手続補正２】
【補正対象書類名】明細書
【補正対象項目名】０００４
【補正方法】変更
【補正の内容】
【０００４】
【課題を解決するための手段】
本発明は次の構成により上記の課題を解決する。
〈構成１〉
名刺要求元に関する所定の管理情報を記憶したデータベースと、名刺要求元を特定する情報に基づいて前記データベースを検索し、抽出された情報を使用して、標準形式の名刺印刷イメージを生成する手段と、予め用意された選択データを要求元に選択させて、前記名刺印刷イメージを編集する手段と、編集後の印刷イメージから印刷データを生成して、要求元へ送信する手段とを備えたことを特徴とする名刺管理システム。
【手続補正３】
【補正対象書類名】明細書
【補正対象項目名】００３２
【補正方法】変更
【補正の内容】
【００３２】
〈構成１５〉
構成１４に記載の名刺管理用コンピュータプログラムにおいて、上記印刷データを使用して名刺を印刷するプリンタで、標準的な印刷出力が得られるように、上記印刷データを上記プリンタ用に補正するための、印刷補正データを用意して、要求元において名刺が印刷されるプリンタを認識する処理と、該当するプリンタのための印刷補正データを選択する処理と、上記印刷データと共に、上記印刷補正データを、印刷要求元へ送信する処理とを、コンピュータに実行させる名刺管理用コンピュータプログラム。
【手続補正４】
【補正対象書類名】明細書
【補正対象項目名】００３６
【補正方法】変更
【補正の内容】
【００３６】
〈構成１７〉
構成１４に記載の名刺管理方法において、上記印刷データを使用して名刺を印刷するプリンタで、標準的な印刷出力が得られるように、上記印刷データを上記プリンタ用に補正するための、印刷補正データを用意して、要求元において名刺が印刷されるプリンタを認識し、該当するプリンタのための印刷補正データを選択して、上記印刷データと共に、上記印刷補正データを、印刷要求元へ送信することを特徴とする名刺管理方法。